(57)【要約】【課題】電力使用状況（特に、管理効果）を定量的に視覚的に確認するのに好適に使用できる電力管理用計器を提供する。【解決手段】ブレーカＢを通じた電力供給路Ｐ中に計器用変成器Ｔを介して付設されたアナログ電流計１０の目盛りは、ブレーカＢの最大電流である例えば３０Ａに相当する目盛りを１００％とするパーセント目盛り１３になっている。【効果】「管理目標まであと５％だ」というように現在の使用電力が管理目標にどれくらい近いかを直接的に定量的に視認できる。【選択図】　図１
2004004099.tif 000002
【特許請求の範囲】
【請求項１】
ブレーカを通じた電力供給路中に直接または計器用変成器を介して付設される電流計であって、前記電流計の表示または目盛りを、前記ブレーカの最大電流に相当する表示または目盛りを１００％とするパーセント表示またはパーセント目盛りとしたことを特徴とする電力管理用計器。
【請求項２】
コンセントを通じた電力供給路中に直接または計器用変成器を介して付設される電流計であって、前記電流計の表示または目盛りを、前記コンセントの最大電流に相当する表示または目盛りを１００％とするパーセント表示またはパーセント目盛りとしたことを特徴とする電力管理用計器。
【請求項３】
電力供給路に一次側を結合される計器用変成器と、前記計器用変成器の二次側に接続される電流計とを具備し、前記電流計の表示または目盛りを、前記計器用変成器の定格電流に相当する表示または目盛りを１００％とするパーセント表示またはパーセント目盛りとしたことを特徴とする電力管理用計器。
【請求項４】
請求項１から請求項３のいずれかに記載の電力管理用計器において、前記電流計は、目標パーセントを表示または指示するための目標パーセント表示／指示手段と、前記目標パーセントを手動により設定するための目標パーセント手動設定手段とを有することを特徴とする電力管理用計器。
【発明の詳細な説明】
【０００１】
【発明の属する技術分野】
本発明は、電力管理用計器に関し、さらに詳しくは、電力使用状況（特に、節電効果）を定量的に視覚的に確認でき且つ安価に一般家庭に導入することが出来る電力管理用計器に関する。
【０００２】
【従来の技術】
従来、電力使用状況を定量的に表示する装置が種々提案されている（特許文献１、特許文献２、特許文献３参照。）。
【０００３】
【特許文献１】
特開平１０−１０１６０号公報
【特許文献２】
特開平１１−２０２００６号公報
【特許文献３】
特開平１１−２４８７５２号公報
【０００４】
【発明が解決しようとする課題】
電力使用状況を定量的に表示する従来装置は、いずれも構成が非常に複雑であり、安価に多くの一般家庭に導入することが実際上期待し難い問題点があった。そこで、本発明の目的は、電力使用状況（特に、節電効果）を定量的に視覚的に確認でき且つ安価に多くの一般家庭に導入することが出来る電力管理用計器を提供することにある。
【０００５】
【課題を解決するための手段】
第１の観点では、本発明は、ブレーカを通じた電力供給路中に直接または計器用変成器を介して付設される電流計であって、前記電流計の表示または目盛りを、前記ブレーカの最大電流に相当する表示または目盛りを１００％とするパーセント表示またはパーセント目盛りとしたことを特徴とする電力管理用計器を提供する。
上記第１の観点による電力管理用計器では、ブレーカを通じて現在供給している電流が、ブレーカを通じて供給しうる最大電流の何％に相当するかを、明確に視認できる。そして、供給電圧が一定であれば、電力は電流に比例するから、ブレーカを通じて現在供給している電力が、ブレーカを通じて供給しうる最大電力の何％に相当するかを、明確に視認できる。これを節電管理に用いる場合、管理目標は、例えば「節電目標−１０ｋＷ」というように電力値で表すよりも「節電目標−１０％」というようにパーセント値で表すのが大衆の直感に訴え易い。本発明の電力管理用計器を用いれば、「管理目標が本発明の電力管理用計器での８０％表示または８０％目盛り」であり、「現在の使用電力が８５％表示または８５％目盛り」であれば、「管理目標まであと５％だ」というように、現在の使用電力が管理目標にどれくらい近いかを直接的に定量的に視認できる。
そして、例えば既存回路に本パーセント目盛りの電流計１台を挿入するか又は計器用変成器および本パーセント目盛りの電流計１台を挿入すれば実施できるので、安価に構成でき、多くの一般家庭に容易に導入することが出来る。
【０００６】
第２の観点では、本発明は、コンセントを通じた電力供給路中に直接または計器用変成器を介して付設される電流計であって、前記電流計の表示または目盛りを、前記コンセントの最大電流に相当する表示または目盛りを１００％とするパーセント表示またはパーセント目盛りとしたことを特徴とする電力管理用計器を提供する。
上記第２の観点による電力管理用計器では、コンセントを通じて現在供給している電流が、コンセントを通じて供給しうる最大電流の何％に相当するかを、明確に視認できる。そして、供給電圧が一定であれば、電力は電流に比例するから、コンセントを通じて現在供給している電力が、コンセントを通じて供給しうる最大電力の何％に相当するかを、明確に視認できる。これを節電管理に用いる場合、管理目標は、例えば「節電目標−１０ｋＷ」というように電力値で表すよりも「節電目標−１０％」というようにパーセント値で表すのが大衆の直感に訴え易い。本発明の電力管理用計器を用いれば、「管理目標が本発明の電力管理用計器での８０％表示または８０％目盛り」であり、「現在の使用電力が８５％表示または８５％目盛り」であれば、「管理目標まであと５％だ」というように、現在の使用電力が管理目標にどれくらい近いかを直接的に定量的に視認できる。
そして、例えば既存回路に本パーセント目盛りの電流計１台を挿入するか又は計器用変成器および本パーセント目盛りの電流計１台を挿入すれば実施できるので、安価に構成でき、多くの一般家庭に容易に導入することが出来る。
【０００７】
第３の観点では、本発明は、電力供給路に一次側を結合される計器用変成器と、前記計器用変成器の二次側に接続される電流計とを具備し、前記電流計の表示または目盛りを、前記計器用変成器の定格電流に相当する表示または目盛りを１００％とするパーセント表示またはパーセント目盛りとしたことを特徴とする電力管理用計器を提供する。
通常、電力供給路に最大電流が流れるときに計器用変成器に定格電流が流れるように調整される。従って、計器用変成器の定格電流に対するパーセント表示またはパーセント目盛りは、電力供給路の最大電流に対するパーセント表示またはパーセント目盛りとみなすことが出来る。
そこで、上記第３の観点による電力管理用計器では、電流供給路を通じて現在供給している電流が、電流供給路を通じて供給しうる最大電流の何％に相当するかを、視認できる。そして、供給電圧が一定であれば、電力は電流に比例するから、電流供給路を通じて現在供給している電力が、電流供給路を通じて供給しうる最大電力の何％に相当するかを、明確に視認できる。これを節電管理に用いる場合、管理目標は、例えば「節電目標−１０ｋＷ」というように電力値で表すよりも「節電目標−１０％」というようにパーセント値で表すのが大衆の直感に訴え易い。本発明の電力管理用計器を用いれば、「管理目標が本発明の電力管理用計器での８０％表示または８０％目盛り」であり、「現在の使用電力が８５％表示または８５％目盛り」であれば、「管理目標まであと５％だ」というように、現在の使用電力が管理目標にどれくらい近いかを直接的に定量的に視認できる。そして、例えば既存回路に本パーセント目盛りの電流計１台を挿入するか又は計器用変成器および本パーセント目盛りの電流計１台を挿入すれば実施できるので、安価に構成でき、多くの一般家庭に容易に導入することが出来る。
【０００８】
第４の観点では、本発明は、上記構成の電力管理用計器において、前記電流計は、目標パーセントを表示または指示するための目標パーセント表示／指示手段と、前記目標パーセントを手動により設定するための目標パーセント手動設定手段とを有することを特徴とする電力管理用計器を提供する。
上記第４の観点による電力管理用計器では、目標パーセント表示／指示手段により管理目標を直接視認できるので、現在の使用電力が管理目標にどれくらい近いかをより直接的に定量的に視認できる。また、この目標パーセント表示／指示手段は、家庭における冷蔵庫や警報器などの最小限確保すべき負荷電流の指標としても有用である。
【０００９】
【発明の実施の形態】
以下、図に示す本発明の実施の形態を説明する。なお、これにより本発明が限定されるものではない。
【００１０】
−第１の実施形態−
図１は、第１の実施形態にかかる電力管理用計器１００を示す構成図である。この電力管理用計器１００は、ブレーカＢを通じた電力供給路Ｐ中に計器用変成器Ｔを介して付設されたアナログ電流計１０である。
なお、計器用変成器Ｔの二次定格電流は規格により数種類に統一されている（例えば１Ａまたは５Ａ）から、アナログ電流計１０の定格も数種類でよく、多種類である必要はない。
【００１１】
このアナログ電流計１０の目盛りは、ブレーカＢの最大電流である例えば３０Ａに相当する目盛りを１００％とするパーセント目盛り１３になっている。つまり、電力供給路Ｐに「３０Ａ」が流れれば、「１００％」を指すようにトランスデューサ１１が指針１２を回す。また、電力供給路Ｐに「１５Ａ」が流れれば、「５０％」を指すように指針１２を回す。
そして、供給電圧が一定たとえば１００Ｖであれば、供給電力が「３ｋＷ」のとき、指針１２は「１００％」を指す。また、供給電力が「１．５ｋＷ」のとき、指針１２は「５０％」を指す。
【００１２】
さらに、アナログ電流計１０は、目標パーセント指示片１４と、その目標パーセント指示片１４を移動／固定するためのツマミ１５とを有している。
【００１３】
上記電力管理用計器１００は、例えば次のようにして使用する。
（１）平常の使用電力がアナログ電流計１０の目盛りで９０％であり、節電目標が−１０％であるなら、ツマミ１５を操作して、目標パーセント指示片１４が「８０％」を指すようにする。
（２）目標パーセント指示片１４が指す「８０％」を指針１２が示す目盛りが下回るように、電気設備の稼働状態を調整する。
【００１４】
第１の実施形態にかかる電力管理用計器１００によれば、管理目標を直接視認でき且つ「管理目標まであと５％だ」というように現在の使用電力が管理目標にどれくらい近いかを直接的に定量的に視認できる。
そして、安価に構成でき、多くの一般家庭に容易に導入することが出来る。
【００１５】
−第２の実施形態−
図２は、第２の実施形態にかかる電力管理用計器２００を示す構成図である。この電力管理用計器２００は、コンセントＣを通じた電力供給路Ｐ中に計器用変成器Ｔを介して付設されたデジタル電流計２０である。
【００１６】
このデジタル電流計２０の現在値表示器２４は、コンセントＣの最大電流である例えば１５Ａに相当する表示を１００％とするパーセント表示になっている。つまり、電力供給路Ｐに１５Ａが流れれば、ＡＤコンバータ２１を介してマイコン２２が電流値を読み取り、表示回路２３により現在値表示器２４に「１００％」を表示する。また、電力供給路Ｐに「７．５Ａ」が流れれば、ＡＤコンバータ２１を介してマイコン２２が電流値を読み取り、表示回路２３により現在値表示器２４に「５０％」を表示する。
そして、供給電圧が一定たとえば１００Ｖであれば、供給電力が１．５ｋＷのとき、現在値表示器２４に「１００％」を表示する。また、供給電力が０．７５ｋＷのとき、現在値表示器２４に「５０％」を表示する。
【００１７】
さらに、デジタル電流計２０は、目標パーセント設定スイッチ２５と、目標パーセントを表示するための目標パーセント表示器２６とを有している。目標パーセント設定スイッチ２５をマイコン２２が読み取り、表示回路２３により目標パーセント表示器２６に目標パーセントを表示する。
【００１８】
上記電力管理用計器２００は、例えば次のようにして使用する。
（１）平常の使用電力がデジタル電流計２０の表示で９０％であり、節電目標が−１０％であるなら、目標パーセント設定スイッチ２５を操作して、目標パーセント表示器２６に「８０％」を表示させる。
（２）目標パーセント表示器２６が表示する「８０％」を現在値表示器２４が表示するパーセント表示が下回るように、電気設備の稼働状態を調整する。
【００１９】
第２の実施形態にかかる電力管理用計器２００によれば、管理目標を直接視認でき且つ「管理目標まであと５％だ」というように現在の使用電力が管理目標にどれくらい近いかを直接的に定量的に視認できる。
そして、安価に構成でき、多くの一般家庭に容易に導入することが出来る。
【００２０】
−第３の実施形態−
図３は、第３の実施形態にかかる電力管理用計器３００を示す構成図である。この電力管理用計器３００は、電力供給路Ｐ中に計器用変成器Ｔを介して付設されたアナログ電流計１０である。
【００２１】
このアナログ電流計１０の目盛りは、計器用変成器Ｔの定格電流である例えば１Ａに相当する目盛りを１００％とするパーセント目盛り１３になっている。一方、電力供給路Ｐに最大電流（ここでは６０Ａとする）が流れたときに計器用変成器Ｔに定格電流が流れるように計器用変成器Ｔが調整されている。つまり、電力供給路Ｐに「６０Ａ」が流れれば、「１００％」を指すようにトランスデューサ１１が指針１２を回す。また、電力供給路Ｐに「３０Ａ」が流れれば、「５０％」を指すように指針１２を回す。
そして、供給電圧が一定たとえば１００Ｖであれば、供給電力が「６ｋＷ」のとき、指針１２は「１００％」を指す。また、供給電力が「３ｋＷ」のとき、指針１２は「５０％」を指す。
【００２２】
さらに、アナログ電流計１０は、目標パーセント指示片１４と、その目標パーセント指示片１４を移動／固定するためのツマミ１５とを有している。
【００２３】
上記電力管理用計器３００は、例えば次のようにして使用する。
（１）平常の使用電力がアナログ電流計１０の目盛りで９０％であり、節電目標が−１０％であるなら、ツマミ１５を操作して、目標パーセント指示片１４が「８０％」を指すようにする。
（２）目標パーセント指示片１４が指す「８０％」を指針１２が示す目盛りが下回るように、電気設備の稼働状態を調整する。
【００２４】
第３の実施形態にかかる電力管理用計器３００によれば、管理目標を直接視認でき且つ「管理目標まであと５％だ」というように現在の使用電力が管理目標にどれくらい近いかを直接的に定量的に視認できる。
そして、安価に構成でき、多くの一般家庭に容易に導入することが出来る。
【００２５】
【発明の効果】
本発明の電力管理用計器によれば、現在の使用電力が管理目標にどれくらい近いかを直接的に定量的に視認できる。そして、安価に構成でき、多くの一般家庭に容易に導入することが出来る。
また、必要最小限の電力が供給されているかを本発明の電力管理用計器で確認できるので、冷蔵庫や警報回路などの通常はスイッチを切らない負荷のスイッチを誤って切っていた場合、これを発見できる。
さらに、必要最小限以上の電力が供給されているかを本発明の電力管理用計器で確認できるので、こたつなどの負荷のスイッチを切っていないのに切ったと誤認していた場合、その誤認を発見することが出来る。
【図面の簡単な説明】
【図１】第１の実施形態に係る電力管理用計器を示す構成図である。
【図２】第２の実施形態に係る電力管理用計器を示す構成図である。
【図３】第３の実施形態に係る電力管理用計器を示す構成図である。
【符号の説明】
１０　　　　　　　　アナログ電流計
１３　　　　　　　　パーセント目盛り
１４　　　　　　　　目標パーセント指示片
２０　　　　　　　　デジタル電流計
２４　　　　　　　　現在値表示器
２６　　　　　　　　目標パーセント表示器
１００〜３００　　　電力管理用計器
Ｂ　　　　　　　　　ブレーカ
Ｃ　　　　　　　　　コンセント
Ｐ　　　　　　　　　電力供給路
Ｔ　　　　　　　　　計器用変成器
【図１】
2004004099.tif 000003
【図２】
2004004099.tif 000004
【図３】
2004004099.tif 000005